(57)【要約】【課題】ガスメータの端子に、外部機器と接続するためのケーブルを容易に接続することができるガスメータを提供すること。【解決手段】本発明に係わるガスメータ１では、端子台カバー１１”に、ガスメータ１の端子２０に対応する位置関係でケーブル３が接続される中間端子１８が配設され、カバー１１”がガスメータ１の端子台１３を覆うように固定されると、カバー１１”に配設された中間端子１８が、ガスメータ１の端子台１３に配設された端子２０に接触する。【選択図】図８
2010054207.tif 000002
【特許請求の範囲】
【請求項１】
外部機器と接続するためのケーブルが接続される端子が配設された端子台と、当該端子台を覆うカバーを備えたガスメータにおいて、
前記カバーに、前記端子に対応する位置関係で前記ケーブルが接続される中間端子が配設され、
前記カバーが前記ガスメータの端子台を覆うように固定されると、前記カバーに配設された前記中間端子が、前記ガスメータの端子台に配設された端子に接触することを特徴とするガスメータ。
【請求項２】
前記中間端子と接触するガスメータの端子の端部は、バネにより接触方向に移動可能に支持された接触子を有することを特徴する請求項１に記載のガスメータ。
【請求項３】
前記カバーは、前記中間端子が取り付けられ、前記ガスメータの端子台に固定される中間端子台と、当該中間端子台と共にガスメータの端子台を覆う外カバーとから構成され、
前記中間端子台は、前記ガスメータの端子台を覆うように当該端子台に固定され、
前記中間端子は、前記ガスメータの端子台と対向する前記中間端子台の平板を貫通して支持され、前記平板を貫通した前記中間端子の一方の端部が前記ガスメータの端子台の端子と接触し、他方の端部に前記ケーブルが接続されることを特徴とする請求項１に記載のガスメータ。
【請求項４】
前記平板を貫通した前記中間端子の一方の端部は、バネにより接触方向に移動可能に支持された接触子を有することを特徴とする請求項３に記載のガスメータ。
【発明の詳細な説明】
【技術分野】
【０００１】
本発明は、外部機器と接続するための端子を備えたガスメータに係わり、特に、外部機器と接続するためのケーブルとガスメータの端子とを容易に電気的に接続できるガスメータに関する。
【背景技術】
【０００２】
ガスメータには、警報器、宅内操作器などの外部機器と接続するための端子台が設けられ、当該端子台は、端子台カバーによって覆われている（特許文献１参照）。
【０００３】
図９は、ガスメータ１００の端子台１０１の外観図であり、外部機器と接続するためのケーブルが接続される複数の端子１０２が設けられている。
図９に示したように、端子１０２の電極部１０２ａとネジ１０２ｂの隙間に、ケーブル２００の端子（Ｙ端子）２００ａが挿入され、ネジ１０２ｂが締め付けられると、ネジ１０２ｂの頭部と電極部１０２ａとの間に、ケーブル２００のＹ端子２００ａが挟持・固定される。
【０００４】
このようにすることで、ガスメータ１００は、ケーブル２００を介し、通信制御ユニットや検針用ハンディターミナル等の外部機器と接続される。
なお、ケーブル２００のＹ端子２００ａが端子１０２に固定された後、端子台１０１は、端子台カバー（図示しない）によって覆われる。
【特許文献１】特開２００７−１１４０６５号公報
【発明の開示】
【発明が解決しようとする課題】
【０００５】
上記のようなガスメータは、家と塀の間など狭いスペースに設置されることがあり、そのような狭いスペースで、ガスメータの管理者が、ケーブル２００のＹ端子２００ａを端子台１０１の端子１０２に固定する作業を行うのは、作業スペースの面で作業効率が悪い。
【０００６】
本発明は、かかる実情に鑑みてなされたものであり、ガスメータの端子に、外部機器と接続するためのケーブルを容易に接続することができるガスメータを提供することを目的とする。
【課題を解決するための手段】
【０００７】
第１の発明は、外部機器と接続するためのケーブルが接続される端子が配設された端子台と、当該端子台を覆うカバーを備えたガスメータにおいて、前記カバーに、前記端子に対応する位置関係で前記ケーブルが接続される中間端子が配設され、前記カバーが前記ガスメータの端子台を覆うように固定されると、前記カバーに配設された前記中間端子が、前記ガスメータの端子台に配設された端子に接触することを特徴とするガスメータである。
【０００８】
第２の発明は、第１の発明において、前記中間端子と接触するガスメータの端子の端部は、バネにより接触方向に移動可能に支持された接触子を有することを特徴するガスメータである。
【０００９】
第３の発明は、第１の発明において、前記カバーは、前記中間端子が取り付けられ、前記ガスメータの端子台に固定される中間端子台と、当該中間端子台と共にガスメータの端子台を覆う外カバーとから構成され、前記中間端子台は、前記ガスメータの端子台を覆うように当該端子台に固定され、前記中間端子は、前記ガスメータの端子台と対向する前記中間端子台の平板を貫通して支持され、前記平板を貫通した前記中間端子の一方の端部が前記ガスメータの端子台の端子と接触し、他方の端部に前記ケーブルが接続されることを特徴とするガスメータである。
【００１０】
第４の発明は、第３の発明において、前記平板を貫通した前記中間端子の一方の端部は、バネにより接触方向に移動可能に支持された接触子を有することを特徴とするガスメータである。
【発明の効果】
【００１１】
本発明により、ガスメータの端子台のカバーを固定することにより、外部機器と接続するためのケーブルとガスメータの端子を電気的に接続することができる。
【発明を実施するための最良の形態】
【００１２】
（実施例１）
図１は、本発明に係わるガスメータ１の外観図である。
１１は、ガスメータ１の端子台（後述）をカバーする端子台カバーで、当該端子台カバーとガスメータ１の端子台とはネジ２などによって固定される。
３は、外部機器など（図示しない）とガスメータ１との間で信号の送受信などを行うためのケーブルである。
【００１３】
図２は、ガスメータ１の外観を下方向から俯瞰した図である（図１の矢印Ｘ方向）。
１２は、ケーブル３を挿通するための孔部周縁に設けられたゴムブッシュである。
【００１４】
図３は、端子台カバー１１等をガスメータ１から取り外し、端子台１３を露出した状態を示した図である。
１４は、外部機器など（図示しない）に対応して設けられている端子で、例えば、端子１４１は雷サージ対策用、同端子１４２は電話回線用のＮライン端子、１４３はガス漏れ警報器と接続するため端子、１４４は一酸化炭素警報器と接続するための端子である。これら端子の構造は、図９で説明した端子の構造と同一である。
１５は、各端子を隔てる隔壁である。
【００１５】
本発明に係わるガスメータでは、端子台カバー１１に、ガスメータ１の端子１４に対応する位置関係でケーブル３が接続される中間端子（後述）が配設され、カバー１１がガスメータ１の端子台１３を覆うように固定されると、カバー１１に配設された前記中間端子が、ガスメータ１の端子台１３に配設された端子１４に接触する。
【００１６】
ここでは、中間端子台（後述）を備えるガスメータ１について説明する。
端子台カバー１１は、図４に示す、中間端子が取り付けられ、ガスメータ１の端子台１３に固定される中間端子台１６と、中間端子台１６と共にガスメータ１の端子台１３を覆う外カバー（後述）とから構成される。
【００１７】
図４は、中間端子台１６の外観図、図５は、外カバー１１’（端子台カバー１１）の外観図である。
中間端子台１６は、ガスメータ１の端子台１３を覆うように当該端子台１３に固定され、中間端子１７は、ガスメータ１の端子台１３と対向する中間端子台１６の平板１６ａを貫通して支持され、平板１６ａを貫通した中間端子１７の一方の端部がガスメータ１の端子台１３の端子と接触し、他方の端部にケーブル３が接続される。
【００１８】
平板１６ａを貫通した中間端子１７の一方の端部（中間端子１７の下部）は、ガスメータ１の端子台１３の端子１４と接触する。このような接触を可能にするため、中間端子１７は、バネ（後述）により接触方向に移動可能に支持された接触子１７ｂを有する。
【００１９】
また、他方の端部（中間端子１７の上部）にケーブル３が接続される。このような接続を可能にするため、中間端子１７の上部はネジ１７ａ等によって構成される。
【００２０】
３ａは、ケーブル３のＹ端子で、ネジ１７ａによって中間端子１７に固定されている。
１６ｂは、中間端子台１６を端子台１３に固定するネジ用の孔である。
【００２１】
図６（Ａ）は、中間端子台１６及び外カバー１１’を端子台１３に固定した状態における、図３及び図４のＹ−Ｙ’断面図、及び、図６（Ｂ）は、中間端子１７の断面図である。
端子１４は、図９で説明した従来の端子１０２と同じ端子で、電極部１４ａ及びネジ１４ｂも同様に前記従来の端子１０２の電極部１０２ａ及びネジ１０２ｂと同じものである。
【００２２】
図６に示したように、中間端子１７は、ケーブル３のＹ端子３ａを挟持・固定するネジ１７ａと、端子１４（ネジ１４ｂ）に接触するように接触方向に移動（摺動）可能な、凸型（図６、図７では下に凸）の接触子１７ｂと、接触子１７ｂを移動可能に支持するバネ１７ｃと、接触子１７ｂ及びバネ１７ｃを格納する例えば筒形の筐体１７ｄとから構成される。
【００２３】
筒形の筐体１７ｄの上面には、ネジ１７ａ用のネジ孔が形成され、同底面には、凸型の接触子１７ｂの突部が挿入される孔が形成されている。各部品は、金属製である。
【００２４】
なお、４は、中間端子台１６を端子台１３に固定するネジである。
【００２５】
このように、中間端子１７が配設された中間端子台１６を設けることで、従来の端子構造のまま、ケーブル３のＹ端子３ａが端子台１３の端子１４に電気的に接続され、当該ケーブル３の他端と接続している外部機器と、ガスメータ１との信号の送受信が可能になる。
【００２６】
（実施例２）
実施例１では、従来構造の端子台１３の端子１４に対応させるために、接触子を備えた中間端子１７を中間端子台１６に配設したガスメータについて説明したが、実施例２では端子台カバー１１の内側に中間端子を設け、端子台１３には、従来構造の端子１４の替わりに後述の端子（接触子）を配設したガスメータについて説明する。
【００２７】
図７は、端子台カバー１１”の内面の外観図で、端子台１３の端子（後述）に対応するように、中間端子１８が設けられている。
１１”ａは、端子台カバー１１”を端子台１３に固定するネジ用の孔、１９は、各端子を隔てる隔壁である。
図７に示したように、ケーブル３のＹ端子３ａが、ネジ１８ｂの頭部と電極部１８ａとの間に挟持され、固定される。
【００２８】
図８（Ａ）は、図７の端子台カバー１１”を端子台１３に固定した状態における、図７のＹ−Ｙ’断面図、及び、図８（Ｂ）は端子２０の断面図である。
端子台カバー１１”の中間端子１８と接触するガスメータ１の端子２０の端部は、バネ２０ｂにより接触方向に移動可能に支持された接触子２０ａを有する。
【００２９】
より詳細に説明すると、端子２０は、端子台カバー１１”の中間端子１８（ネジ１８ｂ）に接触する凸型の接触子２０ａと、接触子２０ａを接触方向に移動（摺動）可能に支持するバネ２０ｂと、接触子２０ａ及びバネ２０ｂを格納する例えば筒形の筐体２０ｃとから構成される。
【００３０】
図８（Ｂ）に示したように、筐体２０ｃの上面には、接触子２０ａの突部が挿入される孔が形成され、筐体２０ｃの底面は、バネ２０ｂの下部と接触している。
なお、筐体２０ｃの底面は、接続線（図示しない）を介してガスメータの電子回路に接続している。各部品は、金属製である。
【００３１】
ケーブル３のＹ端子３ａが、端子台カバー１１”の中間端子１８に固定され、さらに、端子台カバー１１”の中間端子１８（ネジ１８ｂ）と、端子台１３の端子２０（接触子２０ａ）とが接触している。
【００３２】
このように、ケーブル３が中間端子１８に固定された端子台カバー１１”を端子台１３に取り付けるだけで、所望の端子とケーブルとを容易に接続することができる。また、端子台カバー１１”の中間端子１８にケーブル３を固定する作業は、広い作業スペース下で実行できるので、作業が容易になる。
【００３３】
（その他）
図４に示した中間端子１７の下部（接触子１７ｂ）を金属製バネにしてもよい。同じく、図８に示した端子台１３の端子２０をバネにしてもよい。このようにすることで、部品を簡略化でき製造コストを抑えることができる。
また、図７の端子台カバー１１”に配設された中間端子１８の電極部１８ａ（ネジ１８ｂの頭部）にバネを取り付けてもよい。このようにすることで、端子台カバー１１”を従来構造の端子１４が配設された端子台１３に取り付けても、端子台カバー１１”の中間端子１８と従来構造の端子１４が接触する。
【図面の簡単な説明】
【００３４】
【図１】本発明に係わるガスメータの外観図である。
【図２】本発明に係わるガスメータの外観を下方向から俯瞰した図である
【図３】端子台を露出した状態を示した図である。
【図４】中間端子台の外観図である。
【図５】端子台カバーの外観図である。
【図６】中間端子台及び端子台カバーを端子台に固定した状態における断面図である。
【図７】端子台カバーの内面の外観図である。
【図８】端子台カバーを端子台に固定した状態における断面図である。
【図９】ガスメータの端子台の外観図である。
【符号の説明】
【００３５】
１，１００…ガスメータ、１０１…端子台、１０２…端子、１０２ａ…電極部、１０２ｂ…ネジ、１１…端子台カバー、１１’…外カバー、１１”…中間端子付き端子台カバー、１２…ゴムブッシュ、１３…端子台、１４…端子、１４ａ…電極部、１４ｂ…ネジ、１４１〜１４４…端子、１５…隔壁、１６…中間端子台、１６ａ…平板、１６ｂ…ネジ用の孔、１７…中間端子、１７ａ…ネジ、１７ｂ…接触子、１７ｃ…バネ、１７ｄ…筐体、１８…中間端子、１８ａ…電極部、１８ｂ…ネジ、２…ネジ、２０…端子、２０ａ…接触子、２０ｂ…バネ、２０ｃ…筐体、３，２００…ケーブル、３ａ，２００ａ…Ｙ端子。
【図１】
2010054207.tif 000003
【図２】
2010054207.tif 000004
【図３】
2010054207.tif 000005
【図４】
2010054207.tif 000006
【図５】
2010054207.tif 000007
【図６】
2010054207.tif 000008
【図７】
2010054207.tif 000009
【図８】
2010054207.tif 000010
【図９】
2010054207.tif 000011